(57)【要約】【課題】紙折機から起立して排出された折丁の任意数を起立した状態で集積し、それを正確に折丁結束部に移送できること。【解決手段】折丁Ｐ０を起立搬入する折丁搬入部３０と搬入された折丁をプッシャ板３６で移送され、移送された折丁を保持プレート４２に当て起立した状態を保持して順次集積する折丁集積部３１を有する積層台３３に沿って、押出ロッド３８で移送された折丁集積部３１で集積した折丁束を搬入し、その折丁束を固定プレス板５０と移動プレス板５１で加締めて結束する結束部３２を有する結束台３４を移動可能とし、位置固定した固定プレス板５０の延長線上に保持プレート４２を停止固定しその間に集積した折丁を押出ロッド３８で結束台３４へ移送する。【選択図】  図２
2008254832.tif 000002
【特許請求の範囲】
【請求項１】
紙折機から起立して搬入される折丁ごとにその折丁の起立側面に当接して順次前方へ押し進めるプッシャ板と、前記プッシャ板と対向して配置され、前記プッシャ板で押し進められた先頭の折丁の起立側面に当接してその起立を保持し、前記プッシャ板で押し進められる折丁ごとに後退移動する保持プレートと、前記保持プレートの移動方向と同方向に配置され、前記プッシャ板と前記保持プレートとの間に集積された折丁を前記保持プレートの移動方向と直交する方向に押し出す押出ロッドとを備えた折丁集積台と、端部に固定され、前記押出ロッドで押し出された集積された折丁の一端の起立側面に当接する固定側のプレス板と、前記固定側のプレス板と対向し、前記固定側のプレス板に当接した集積された折丁の他端の起立側面に当接して押圧する移動側のプレス板とを備えた結束台とを設けた折丁排出集積装置であって、前記保持プレートを前記折丁集積台の表面から前記押出ロッドの移動する空間を隔てて配置するとともに、前記結束台を前記折丁集積台に沿って前記保持プレートの移動方向と同方向に移動可能としてなることを特徴とする折丁排出集積装置。
【請求項２】
保持プレートは、折丁集積台に沿ってステップ移動する移動機構に固定されていることを特徴とする請求項１に記載の折丁排出集積装置。
【請求項３】
押出ロッドの端部に、保持プレートの移動方向と直交する方向に伸びる、押出ロッドで押し出す集積折丁と折丁集積台上に残る折丁とを区分けする区分けロッドを固着しなることを特徴とする請求項１に記載の折丁排出集積装置。
【請求項４】
押出ロッドで押し出す集積折丁と折丁集積台上に残る折丁との間に隙間を形成する隙間形成機構を設けたことを特徴とする請求項１に記載の折丁排出集積装置。
【請求項５】
隙間形成機構は、プッシャ板で押し進められた折丁の起立側面沿って押出ロッドのプッシャ板側の端部まで移動可能としてなることを特徴とする請求項４に記載の折丁排出集積装置。
【発明の詳細な説明】
【技術分野】
【０００１】
本発明は、折機から搬出された折丁を集積結束して排出する折丁排出集積装置に関するものである。
【背景技術】
【０００２】
用紙の搬送路に折りバックルと折ローラからなる第１の折部と折り刃と折りローラからなる第２の折部を順に配置し、搬送される用紙の先端から折り位置までを第１の折部の折りバックルに挿入し、折りバックルからはみだす折り位置を折ローラで挟んで二つ折りし、ついで二つ折りした用紙を第２の折部の折り刃により折りローラ間に圧入して折り曲げ、その折り曲げ端を先頭にして排出する紙折機は周知である。
【０００３】
図５は、このような紙折機の排出部に設置される従来の折丁排出集積装置の概略構成を示す平面図で、この図５において、１は機台で、機台１の表面の片側には、紙折機から排出された折丁Ｐ０を起立した状態で受け入れる折丁搬入部２と、折丁を順次集積する折丁集積部３が、他側には、集積折丁を結束する結束部４が設けられている。
【０００４】
折丁搬入部２には、その両側にガイド板５が配置され、ガイド板５間に搬入された折丁Ｐを前方に押し出すプッシャ６が配置されている。折丁集積部３には、機台１の側縁に沿って、ガイド板５の先端端部から機台１の端部に伸びるプッシャ７が配置され、また、プッシャ７と平行するガイド孔８に沿って移動する、折丁の起立を保持する保持板９が配置されている。他側の結束部４には、機台１の端部に固定側のプレス板１０が固定され、この固定側のプレス板１０と対向して移動側のプレス板１１が配置され、プレス板１０とプレス板１１で囲まれる領域の中央部に結束バンド１２を配置する凹溝１３が形成されている。
【０００５】
このように構成された折丁排出集積装置では、紙折機から折丁Ｐ０が搬入されるごとプッシャ６が駆動してその折丁Ｐ０をガイド板５の先端部へ押し出す。このとき保持板９はガイド板５の先端の近傍に位置し、プッシャ６による押し出しが繰り返えされてガイド板５から押し出されてくる先端の折丁Ｐ０と当接し、その起立を保持し、折丁Ｐ０が押し出されるごと後退する。
【０００６】
この後退繰り返されて保持板９が機台１の端部に位置し、ガイド板５と保持板９との間に折丁Ｐ０が集積されるとプッシャ７が駆動し、プッシャ７の両端にまたがって集積された折丁が、固定側のプレス板１０に沿って移動し、固定側のプレス板１０と移動側のプレス板１１との間にその集積された折丁が移送される。そして移動側のプレス板１１を駆動してその集積された折丁を加圧して結束バンド１２で結束する。結束された折丁束は、作業者により持ち運ばれる。
【特許文献１】特開昭５２−１１８３３１号公報
【０００７】
ところで、折丁の用紙の重さは一様でなく、大判のコート紙などの重い用紙では、一つの折丁束が厚くなると作業者が持ち上げることが困難となる。しかし、上記のような従来の折丁排出集積装置では、機台１に対して固定側のプレス板１０の位置が固定され、また、固定側のプレス板１０の位置に応じてプッシャ７で押し出されるときの保持板９の位置も固定されており、結束する折丁束の厚みや折丁数を任意に変更することができず、これを行うには適宜スペーサを用意しなければならないといった問題があった。
【発明の開示】
【発明が解決しようとする課題】
【０００８】
本発明が解決しようとする課題は、紙折機から起立して排出された折丁の任意数を起立した状態で集積し、その集積した折丁をそのまま結束部に移送できるようにし、斯かる問題を解消する点にある。
【課題を解決するための手段】
【０００９】
本発明は、紙折機から起立して搬入される折丁ごとにその折丁の起立側面に当接して順次前方へ押し進めるプッシャ板と、前記プッシャ板と対向して配置され、前記プッシャ板で押し進められた先頭の折丁の起立側面に当接してその起立を保持し、前記プッシャ板で押し進められる折丁ごとに後退移動する保持プレートと、前記保持プレートの移動方向と同方向に配置され、前記プッシャ板と前記保持プレートとの間に集積された折丁を前記保持プレートの移動方向と直交する方向に押し出す押出ロッドとを備えた折丁集積台と、端部に固定され、前記押出ロッドで押し出された集積された折丁の一端の起立側面に当接する固定側のプレス板と、前記固定側のプレス板と対向し、前記固定側のプレス板に当接した集積された折丁の他端の起立側面に当接して押圧する移動側のプレス板とを備えた結束台とを設けた折丁排出集積装置であって、前記保持プレートを前記折丁集積台の表面から前記押出ロッドの移動する空間を隔てて配置するとともに、前記結束台を前記折丁集積台に沿って前記保持プレートの移動方向と同方向に移動可能としてなることを主な特徴とする。
【発明の効果】
【００１０】
本発明によれば、折丁の用紙の重さなどに対応し、簡単に、結束する集積折丁の数や厚みを任意に決めることができるので、装置を扱う作業作者や結束した丁折を持ち運ぶ作業者の負担を軽減することができる。
【発明を実施するための最良の形態】
【００１１】
紙折機から起立して排出された折丁の任意数を起立した状態で集積し、その集積した折丁をそのまま結束部に移送できるようにする目的を、折丁集積部と結束部を分離し、結束部の固定側プレス板の位置を結束する集積折丁の厚みに対応する位置に位置決め固定できるようにするとともに、その固定側プレス板の延長線上に停止固定した保持プレートの状態で集積した折丁を押出ロッドで押し出せるようにすることにより実現した。
【実施例】
【００１２】
図１は実施例に係る折丁排出集積装置を備えた紙折り機の全体構成を示す斜視図、図２は実施例に係る折丁排出集積装置の平面図である。まず、図１を参照して紙折り機の概略を説明する。折丁Ｐ０に形成する用紙Ｐは、給紙ローラ２０によって搬送ベルト２１上に載せられる。搬送ベルト２１上に載せられた用紙Ｐは定規２２に沿って折りバックル２３へ搬送され、その先端を上側の折りバックル２３内に挿入する。折りバックル２３内には挿入する用紙の先端位置、すなわち折りバックル２３からはみ出す位置を決めるストッパが設けられており、搬送される用紙の先端がこのストッパに当接し、折りバックル２３からはみ出す部分は搬送力が加えられているため、そのはみ出す位置を先頭にして折りローラ２４群に送り込まれ、用紙Ｐを二つ折りする。
【００１３】
必要に応じて、二つ折りされた用紙は、その折位置を先頭にして下側の折りバックル２３に挿入され、同様にはみ出す位置を先頭にして折りローラ群２４に送り込まれ、用紙Ｐを二つ折りする。つまり上下の折りバックル２３に挿入することにより三つ折りまたは四つ折りする。このように折り畳んだ用紙を第１の折り刃２５の下に搬送し、ここで第１の折り刃２５を下降し、その折り畳んだ用紙をさらに折る折り位置を下の折りローラ２６間に圧入して折り曲げる。そしてその用紙を第２の折り刃２７の下に搬送し、ここで第２の折り刃２７を下降し、その折り畳んだ用紙をさらに折る折り位置を下の折りローラ２８間に圧入して折り曲げて折丁Ｐ０を完成し、その折丁Ｐ０を起立した状態で下方に配置した折丁排出集積装置２９の折丁搬入部３０へ排出する。
【００１４】
折丁排出集積装置２９は、折丁搬入部３０、折丁集積部３１、集積折丁結束部（結束機は図示なし）３２で構成されているが、折丁搬入部３０と折丁集積部３１を有する折丁集積台３３と集積折丁結束部３２（結束機は図では省略）を有する結束台３４は個別に構成されており、結束台３４は集積台３３に沿って移動させることができる。なお、図１および図２は集積折丁数を少なくした場合を示し、結束台３４は集積台３３に対し移動して固定されている。
【００１５】
折丁搬入部３０と折丁集積部３１を有する折丁集積台３３には、一端部に紙折機から起立して搬入された折丁Ｐ０を前方に配置された折丁集積部３１へガイド板３５に沿わして押し出すプッシャ板３６が配置され、他端には、モータＭ１の駆動で集積台３３を横断して往復移動するベルト３７が配置され、このベルト３７に押出ロッド３８の一端が固定されている。この押出ロッド３８の他端には、積層台３３に対して直角方向に伸びる、積層台３３の幅と同程度の長さを有する区分けロッド３９が固定されている。なお、ガイド板３５と併設して先端部を内側に折り曲げて折丁Ｐ０の通路を狭くしたゲート板３５ａが固定され、このゲート板３５ａとプッシャ板３６で囲まれる領域が折丁搬入部３０となっている。また、押出ロッド３８はスライドガイド４７で支持されている。
【００１６】
また、集積台３３の横側に、その集積台３３の一端から他端に沿ってステッピングモータＭ２（図２参照）の駆動により移動するタイミングベルト（チェーンでもよい）４０が配置され、このタイミングベルト４０に、上方に突き出て屈曲するＬ型の固定金具４１の一端が固定され、この固定金具４１に折丁の起立を保持する保持プレート４２が、集積台３３の表面から、押出ロッド３８が移動する分の隙間を隔てて固定されている。
【００１７】
保持プレート４２は、折丁Ｐ０の集積を開始する当初はガイド板３５の端部の近接位置にあり、また、この位置に押出ロッド３８端部に固定した区分けロッド３９が位置固定されている。プッシャ板３６によって折丁Ｐ０が順次押し進められ、最初の折丁Ｐ０がガイド板３５を越える時点からタイミングベルト４０が駆動され、保持プレート４２が折丁Ｐ０の厚み量順次後退する。予め設定した折丁数が送られるタイミングベルト４０を停止し、保持プレート４２はその位置で停止して固定される。
【００１８】
また、タイミングベルトベルト３９と平行し積層台３３の一端に配置されたクラッチ４３の接続でベルト４０とともに移動するベルト４４が配置され、このベルト４４隙間形成機構４５が固定されている。隙間形成機構４５は、図３に示すように２つの部片４５ａ，４５ｂからなりベルト４４の固定点を支点としてその先端部を開閉する。折丁Ｐ０を集積する当初は、その先端を閉じた状態でゲート３５ａの端部内側近接位置にあり、予め設定した折丁数の最後の折丁Ｐ０の起立した後側面とともに区分けロッド３９の配置位置まで移動する。
【００１９】
区分けロッド３９の配置位置まで移動した隙間形成機構４５は、２つの部片４５ａ，４５ｂを押出ロッド３８の押し出し移動にともなってその先端を開く。すなわち、所定数の最後の折丁とつぎに続く折丁との間に隙間を形成し、その隙間内から区分けロッド３９を挿入する。この挿入により、正確な所定数の集積折丁Ｐｎを結束部３２へ移送することができる。なお、Ｐｘはガイド板３５内に残る集積折丁である。
【００２０】
また、本実施例では、区分けロッド３９には、その両端部にプーリ４６ａと４６ｂが枢着され、両側のプーリ４６ａと４６ｂに、図４に示すように集積台３３の側部に固定金具４８で固定したベルト４９が掛け渡されている。このように区分けロッド３９にベルト４９を掛け渡すと、集積折丁を移送する際、集積台３３上に残る折丁Ｐｘの先端の折丁と当接する側に位置するベルト４９は区分けロッド３９の移動とともに繰出され、残る折丁Ｐｘとは相対的に停止した状態で接するので、区分けロッド３９の移動による摩擦抵抗を受けず、その摩擦により残る折丁が引きずり出されることなく、かつ、傷を付けることなく、移送する正確な数の集積折丁Ｐｎを移送することができる。
【００２１】
結束部３２を有する結束台３４には、従来と同様に、一端部に固定側のプレス板５０が固定され、このプレス板５０と対向して移動側のプレス板５１が配置されている。積層台３３のガイド板３５の位置を基準にして、結束する予め設定した集合折丁数または厚みと対応する位置に結束台３４を移動して固定する。この固定によって決まる固定側のプレス板５０の延長線上に保持プレート４２が位置したとき、保持プレート４２を停止固定し、押出ロッド３８を移動してガイド板３５の先端から保持プレート４２の間に集積された折丁Ｐｎを固定側のプレス板５０と移動側のプレス板５１の間に移送する。そして、移動側のプレス板５１を移動し、その集積された折丁Ｐｎを加締めて図示しない結束機で結束する。
【図面の簡単な説明】
【００２２】
【図１】本発明の実施例に係る折丁排出集積装置を備えた紙折り機の全体構成を示す斜視図である。
【図２】本発明の実施例に係る折丁排出集積装置の平面図である。
【図３】本発明の実施例に係る折丁排出集積装置の隙間形成機構の説明図である。
【図４】本発明の実施例に係る折丁排出集積装置の区分けロッドの他の例を示す平面図である。
【図５】従来の折丁排出集積装置の平面図である。
【符号の説明】
【００２３】
２９  折丁排出集積装置
３０  折丁搬入部
３１  折丁集積部
３２  集積折丁結束部
３３  折丁集積台
３４  折丁結束台
３５  ガイド板
３５ａ  ゲート板
３６  プッシャ板
３７  移動ベルト
３８  押し出しロッド
３９  区分けロッド
４０  タイミングベルト
４１  固定金具
４２  保持プレート
４３  クラッチ
４４  ベルト
４５  隙間形成機構
４６ａ、４６ｂ  プーリ
４７  スライドガイド
４９  ベルト
５０  固定プレス板
４１  移動プレス板
Ｐ０  折丁
【図１】
2008254832.tif 000003
【図２】
2008254832.tif 000004
【図３】
2008254832.tif 000005
【図４】
2008254832.tif 000006
【図５】
2008254832.tif 000007